(57)【特許請求の範囲】
【請求項１】
人間の介助付き移動を容易にするためのトランスファベルト（１）において、
ベルト本体（２）と、
前記ベルト本体の長手方向の第１の長手方向位置（８Ａ；８Ｄ；８Ｅ、８Ｆ；８Ｇ）でベルト本体に取付けられているループ（６Ａ；６Ｄ、６Ｅ、６Ｆ；６Ｇ）と、
前記ループ（６Ａ；６Ｄ、６Ｅ、６Ｆ；６Ｇ）を通って摺動可能な形で配置され、前記長手方向の第２の長手方向位置（８Ｂ）でベルト本体（２）に取付けられている取っ手手段（５Ａ−Ｃ、５Ａ’；５Ｃ’）と、を含み、
前記第２の長手方向位置が、前記長手方向において、前記第１の長手方向位置から離隔され、そのため前記取っ手手段に外力が加わった場合に取っ手手段が強制的にループ内を通り、こうして前記人間のウエストに対しトランスファベルト（１）を締付けるために第１及び第２の長手方向位置を合わせるように長手方向に強制するようになっている、トランスファベルト。
【請求項２】
前記トランスファベルトが、さらに、
前記ベルト本体の長手方向の少なくとも１つの追加の第１の長手方向位置（８Ａ；８Ｄ；８Ｅ、８Ｆ；８Ｇ）でベルト本体に取付けられている少なくとも１つの追加のループ（６Ａ；６Ｄ、６Ｅ、６Ｆ；６Ｇ）と、
少なくとも１つの追加の取っ手手段（５Ａ−Ｃ、５Ａ’；５Ｃ’）と、
を含み、前記少なくとも１つの追加の取っ手手段が、前記少なくとも１つの追加のループを通って摺動可能な形で配置され、前記少なくとも１つの追加の取っ手手段が、前記長手方向の少なくとも１つの追加の第２の長手方向位置（８Ｂ；８Ｃ）でベルト本体に取付けられ、前記少なくとも１つの追加の第２の長手方向位置が、前記長手方向において、前記少なくとも１つの追加の第１の長手方向位置から離隔され、そのため前記少なくとも１つの取っ手手段に外力が加わった場合に少なくとも１つの取っ手手段が強制的に少なくとも１つの追加のループ内を通り、こうして前記人間のウエストに対してトランスファベルト（１）を締付けるために少なくとも１つの追加の第１及び第２の長手方向位置を合わせるように長手方向に強制するようになっている、請求項１に記載のトランスファベルト（１）。
【請求項３】
前記ループが、第１のループ端部と第２のループ端部を有するループ本体を含み、前記第１のループ端部と第２のループ端部が前記第１の長手方向位置（８Ａ；８Ｄ）でベルト本体に取付けられ、このため前記取っ手手段は前記第１の長手方向位置で前記ループを通過するようになっている、請求項１又は２に記載のトランスファベルト（１）。
【請求項４】
前記取っ手手段（５Ａ−Ｃ）がさらに前記長手方向の第３の長手方向位置（８Ｃ）でベルト本体（２）に取付けられており、前記第３の長手方向位置が前記第１の長手方向位置（８Ａ；８Ｄ）及び第２の長手方向位置（８Ｂ）から離隔され、こうして前記ベルト本体に取付けられた取っ手を形成している、請求項１〜３のいずれか一項に記載のトランスファベルト。
【請求項５】
前記取っ手手段が前記第２の長手方向位置（８Ｂ）と第３の長手方向位置（８Ｃ）との間で緩んで延在し、こうして、容易に把持できる取っ手が結果としてもたらされる、請求項４に記載のトランスファベルト。
【請求項６】
前記第１の長手方向位置（８Ａ；８Ｄ）が、前記、長手方向の前記第２の長手方向位置（８Ｂ）と第３の長手方向位置（８Ｃ）との間にあり、こうして前記ループの両方の側に把持可能な取っ手が結果としてもたらされる、請求項４〜５のいずれか一項に記載のトランスファベルト。
【請求項７】
前記第２の長手方向位置（８Ｂ）と第３の長手方向位置（８Ｃ）から離隔されている前記長手方向の長手方向位置（８Ａ、８Ｄ−Ｈ）でベルト本体（２）に取付けられている少なくとも２つのループ（６Ａ、６Ｄ）を含み、前記取っ手手段が前記少なくとも２つのループを通って摺動可能な形で配置されている、請求項４〜５のいずれか一項に記載のトランスファベルト（１）。
【請求項８】
前記第２の長手方向位置（８Ｂ）と前記第３の長手方向位置（８Ｃ）から離隔されている前記長手方向の少なくとも１つの追加の長手方向位置（８Ａ、８Ｄ−Ｈ）でベルト本体（２）に取付けられている少なくとも１つの追加のループ（６Ａ、６Ｄ）をさらに含み、前記少なくとも１つの追加の取っ手手段が前記少なくとも１つの追加のループを通って摺動可能な形で配置されている、請求項４〜５のいずれか一項に記載のトランスファベルト（１）。
【請求項９】
前記少なくとも２つのループ（６Ａ、６Ｄ）の前記長手方向位置（８Ａ、８Ｄ−Ｈ）が、前記長手方向の前記第２の長手方向位置（８Ｂ）と第３の長手方向位置（８Ｃ）との間にある、請求項７又は８に記載のトランスファベルト（１）。
【請求項１０】
前記ループ（６Ａ、６Ｄ）が、ベルト本体の長手方向長さ全体にわたり均等に分布している、請求項７〜９のいずれか一項に記載のトランスファベルト（１）。
【請求項１１】
前記トランスファベルトの着用者に対面する内側表面においてさらに前記トランスファベルトの着用者に快適性を提供するための緩衝用手段を含む、請求項１〜１０のいずれか一項に記載のトランスファベルト（１）。
【請求項１２】
前記取っ手手段（５Ａ−Ｃ）と前記ループ（６Ａ、６Ｄ）が、前記トランスファベルトの着用者から見て外方を向く前記トランスファベルトの外側表面に対して取付けられる、請求項１〜１１のいずれか一項に記載のトランスファベルト（１）。
【請求項１３】
前記人間のウエストの周りに前記トランスファベルトを解除可能な形で締結するための締結手段（３）をさらに含む、請求項１〜１２のいずれか一項に記載のトランスファベルト（１）。
【請求項１４】
前記ベルト本体（２）に取付けられた少なくとも１つの固定取っ手（７Ａ−Ｅ）をさらに含む、請求項１〜１３のいずれか一項に記載のトランスファベルト（１）。
【請求項１５】
前記取っ手手段がストラップ、テープ、ライン、ロープ、コード又は紐である、請求項１〜１４のいずれか一項に記載のトランスファベルト（１）。
【請求項１６】
前記ループ本体がストラップ、テープ、ライン、ロープ、コード、バンド又は紐である、請求項３に記載のトランスファベルト。
【発明の詳細な説明】
【技術分野】
【０００１】
本発明は、ウエストの周りにトランスファベルトを着用した人間の介助付き移動を容易にするためのトランスファベルトの分野に関する。より詳細には、本発明は、締付け特性を備えたトランスファベルトに関する。
【背景技術】
【０００２】
持ち上げ、歩行又はその組合せなどの様々な移動状況のための広範囲の様々なトランスファベルト及びハーネスが存在する。これらの移動補助器具は、移動中に介助又は援助を必要とする人、例えば、その人間を座位から立位へと引き起こす援助などの特定の移動状況の間に介助を必要とする患者、高齢者又は身障者その他の人などに取付けられる。他の移動状況は、例えば人を持ち上げる場合、又は歩行中に又は立位にあるかあるいは介助される人が支えを必要とするあらゆる位置にある間にその人を支える場合である。
【０００３】
トランスファベルトのタイプ及びその人が移動中能動的であるか受動的であるか、すなわち能動的トランスファベルトか受動的トランスファベルトかに応じて、トランスファベルトは多くの方法でその人に取付けられ固定され得る。能動的トランスファベルトの場合、すなわち患者が能動的である場合、トランスファベルトを患者のウエストの周りに取付けるのが１つの取付け方法である。能動的トランスファベルトは、介助を必要とする人を移動させるための補助器具としていつでも使用できる状態にある。能動的移動作業中、１名以上の介助者が、ベルトに取付けられた１つ又は複数の取っ手を介してトランスファベルトに対し引張り力、引き上げ力又は支持力を及ぼす。こうして、介助者は１つ又は複数の取っ手を把持し、この取っ手及びベルトを介して被介助者のウエストに外力を及ぼし、こうしてその人の介助付き移動を達成することにより移動作業を実施する。以上の例は、外力が他の人々によりすなわち手でベルトに加えられる力伝達状況を記述しているが、取っ手又は別の連結点のいずれかでベルトに連結されている引き起こし又は引張り装置を用いて外力を加える場合もある。
【０００４】
さらに、トランスファベルトは同様に、被介助者のウエストの周りにベルトを締結するための締結手段をも含んでいてよい。ただし、このようなトランスファベルトは、移動中人のウエストとの関係においてベルトが運動又は摺動するのを回避するためにウエストに対し充分きつく取付けられている必要があるかもしれない。このような望ましくない相対的運動は、被介助者に対する力の伝達を劣化させる、すなわち外力は被介助者に間接的かつ不正確に伝達される。その上、このような相対的運動すなわちベルトの摺動は同様に、例えば引き起こし作業中、ベルト着用者にとっても不快である。
【発明の概要】
【発明が解決しようとする課題】
【０００５】
本発明の目的は、移動作業中、トランスファベルト着用者の快適度を低減させることなくトランスファベルトとベルト着用者のウエストの間の相対的運動を削減する改良型トランスファベルトを提供することにある。
【課題を解決するための手段】
【０００６】
この及び他の目的は、本発明にしたがって、独立クレーム中で定義される特徴を有するトランスファベルトを提供することによって達成される。好ましい実施形態は、従属クレームにおいて定義されている。
【０００７】
本発明によると、介助付き移動を必要とする人の介助付き移動を容易にするためのトランスファベルトが提供されている。このトランスファベルトは、ベルト本体、ループ及び取っ手手段を含み、取っ手手段はループを通って摺動するように配置されれている。ループはベルト本体の長手方向の第１の長手方向位置でベルト本体に取付けられている。取っ手手段は前記長手方向の第２の長手方向位置でベルト本体に取付けられており、前記第２の長手方向位置は、前記長手方向において、前記第１の長手方向位置から離隔され、そのため前記取っ手手段に外力が加わった場合に取っ手手段が強制的にループ内を通り、こうして前記人間のウエストに対しトランスファベルト（１）を締付けるためにベルト本体の第１及び第２の長手方向位置を長手方向に強制するようになっている。換言すると、ループと取っ手手段は、ベルト本体の長手方向すなわちトランスファベルトの長さの方向で締付け長によって互いに離隔されている第１及び第２の取付け点においてベルト本体に取付けられている。こうして、ループ及び取っ手手段の第１及び第２の取付け点は、トランスファベルトに沿って異なる長手方向位置に、すなわちベルトが人間に取り付けられた場合にベルトに取囲まれたその人のウエストに沿った異なる長手方向位置に配置される。上述のように、取っ手手段には、外部の引き起こし、引張り又は支持力が加えられれ、この力が取っ手手段に張力を与えそれにより取っ手手段がベルト本体に取付けられている第２の取付け点と取っ手手段が内部で摺動できるループがある第１の取付け点とを合わせるように長手方向に強制する。
【０００８】
したがって、本発明は、取っ手手段を少なくとも１つのループに摺動可能な形で通過させることによって、取っ手手段が、取っ手機能及びトランスファベルトを締付ける締付機能の両方を提供する、という見識に基づくものである。結果として、取っ手手段は、取っ手及び締付け手段の両方として役立つ。取っ手手段は、外力を受けた場合、ループを通って摺動可能であり、こうして第１の長手方向位置すなわちベルト本体の第１の取付け点を第２の長手方向位置すなわちベルト本体の第２の取付け点に向かって強制し、これによりトランスファベルトの締付け効果が得られる。こうして、取っ手機能を提供すること以外に、取っ手手段はループと組合わさって、締付け機能を提供する。詳細には、取っ手手段の第１の端部は、第２の長手方向位置でベルト本体に取付けられ、取っ手手段はその後、第の長手方向位置でベルト本体に取付けられているループ内を摺動可能な形で通過し、一方、取っ手手段はループのもう一方の側で、第１の端部と反対側の取っ手手段の第２の端部において、第２の長手方向位置と第１の長手方向位置との間に延在する取っ手手段の一部すなわち締付け長を引張るか又はループ内に強制的に通すための外力を受ける場合もある。締付け長は短縮されることから、ベルト本体及びトランスファベルトの外周は削減され、これによりベルト本体及びトランスファベルトは締めつけられるか又はその着用者のウエストに対し半径方向に強制される。その結果、移動作業中及びその人に移動作業が行なわれていない時の両方において、高い快適度を維持しながら、締付け効果が得られる。
【０００９】
締付け効果の強さは、締付け長の大きさを変えることによって変化させることができる。例えば、締付け効果に上限が所望される場合には、締付け長を、第１及び第２の長手方向位置がわずかな量の力で遭遇し得る程度に短かくしなければならない。それとは反対のことも達成可能であり、締付け長が充分大きい場合、第１及び第２の長手方向位置は全く遭遇せず、すなわち締付け効果に上限は全く無い。ただし、締付け効果が、トランスファベルト着用者のウエストの外周によって左右されるということも理解される。
【００１０】
「長手方向」という用語は、トランスファベルトの長さの方向、すなわちベルト着用者のウエストを取り囲む長さの方向を意味するものと理解される。さらに、「長手方向位置」という用語は、長手方向内すなわちトランスファベルトに沿った１つの位置を意味するものと理解される。
【００１１】
一実施形態において、トランスファベルトはさらに、前記ベルト本体の長手方向の少なくとも１つの追加の第１の長手方向位置でベルト本体に取付けられている少なくとも１つの追加のループと、少なくとも１つの追加の取っ手手段とを含み、前記少なくとも１つの追加の取っ手手段は、前記少なくとも１つの追加のループを通って摺動可能な形で配置されており、前記少なくとも１つの追加の取っ手手段は、前記長手方向の少なくとも１つの追加の第２の長手方向位置でベルト本体に取付けられ、前記少なくとも１つの追加の第２の長手方向位置は、前記長手方向において、前記少なくとも１つの追加の第１の長手方向位置から離隔され、そのため前記少なくとも１つの取っ手手段に外力が加わった場合に少なくとも１つの追加の取っ手手段は少なくとも１つの追加のループ内を強制的に通り、こうして前記人間のウエストに対しトランスファベルトを締付けるために少なくとも１つの追加の第１及び第２の長手方向位置を合わせるように長手方向に強制するようになっている。こうして、本発明によると、この人間の介助付き移動を容易にするためのトランスファベルトにおいて、ベルト本体と、少なくとも１つのループ位置でベルト本体に取付けられている少なくとも１つのループと、少なくとも１つのループを通って摺動可能な形で配置されている少なくとも１つの取っ手手段とを含み、少なくとも１つの取っ手手段が少なくとも１つの取っ手手段位置でベルト本体に取付けられ、少なくとも１つの取っ手手段位置が、トランスファベルトの長手方向の少なくとも１つのループ位置から離隔されているか又はこれとは異なっており、そのため取っ手手段に外力が加わった場合に取っ手手段が強制的にループ内を通り、こうして前記人間のウエストに対しトランスファベルトを締付けるために前記ループ位置の少なくとも１つ及び前記取っ手手段位置の少なくとも１つを合わせように長手方向に強制するようになっているトランスファベルトが提供されている。
【００１２】
換言すると、トランスファベルトはベルト本体と、このベルト本体にに取付けられ、人間の周りにベルト本体を締付けてこの人間の介助付き移動を容易にするための少なくとも１つの締付け用装置とを含み、前記締付け用装置は、少なくとも１つのループ位置でベルト本体に取付けられた少なくとも１つのループと、前記少なくとも１つのループを通って摺動可能な形で配置された少なくとも１つの取っ手手段とを含み、少なくとも１つの取っ手手段は少なくとも１つの取っ手手段位置でベルト本体に取付けられている。少なくとも１つの取っ手手段位置は、前記ベルトの長手方向の前記少なくとも１つのループ位置から離隔されているか又はこれとは異なっており、そのため前記少なくとも１つの取っ手手段に外力が加わった場合に少なくとも１つの取っ手手段が少なくとも１つのループ内に強制的に通され、こうして前記人間のウエストに対しトランスファベルトを締付けるために前記少なくとも１つのループ位置の少なくとも１つ及び前記少なくとも１つの取っ手手段位置の少なくとも１つを合わせるように長手方向に強制するようになっている。一変形実施形態においては、トランスファベルトは、異なる締付け能力を伴う異なる締付け用装置を含み、異なる締付け効果を得るためにループ位置と取っ手手段位置の間の長手方向距離を変動させてよい。こうして、トランスファベルトには、異なる締付け長を伴う少なくとも１つの締付け用装置が具備され、これにより可変的な締付け効果を有するトランスファベルトを得ることができる。
【００１３】
本発明の一実施形態においては、ループは、第１のループ端部と第２のループ端部を有するループ本体を含む。第１及び第２のループ端部は、第１の長手方向位置でベルト本体に取付けられ、こうして取っ手手段はループ内を本質的に第１の長手方向位置で通過するようになっている。換言すると、ループ本体は、第１のループ端部及び第２のループ端部でベルト本体に取付けられ、ループ本体は、第１のループ端部と第２のループ端部のベルト本体における取付けの間で緩んで延在し、こうしてループ本体とベルト本体の間に１つの空間を形成し、この空間を通って取っ手手段は摺動可能な形で配置されている。ループ本体は第１のループ端部と第２のループ端部でベルト本体に取付けられていることから、ベルト本体の長手方向以外の方向でのベルト本体との関係における取っ手手段の運動は、ベルト本体における第１のループ端部と第２のループ端部の取付けによって画定される。同様に、ループ本体を介して取っ手手段からベルト本体に伝達される力は、第１のループ端部と第２のループ端部における２つの取付けに起因して効率の良い形で分配される。
【００１４】
本発明の別の実施形態において、ベルトは、第１の長手方向位置すなわち第１の取付け点及び第２の長手方向位置すなわち第２の取付け点から離隔された第３の長手方向位置すなわち第３の取付け点で、ベルト本体に取付けられている取っ手手段を含む。こうして、取っ手手段は、ベルト本体に取付けられた取っ手を形成する。さらに、取っ手手段は有利には、第２の長手方向位置と第３の長手方向位置における取付けの間で緩んで延在していてよい。こうして、取っ手とベルト本体の間には、取っ手を容易に把持できるようにする空隙が形成される。第１の長手方向位置はさらに、有利には、ベルト本体の長手方向の第２の長手方向位置と第３の長手方向位置の間に位置設定されていてよい。換言すると、取っ手手段は、その第１の端部において、第２の長手方向位置でベルト本体に取付けられ、第２の端部において第３の長手方向位置でベルト本体に取付けられている。取っ手手段が内部を摺動可能な形で配置されているループは、長手方向の第２の長手方向位置と第３の長手方向位置の間に配置されている。すなわちループは取っ手手段の第１の端部と第２の端部の間に位置設定される。こうして、２つの取っ手は、ベルト本体、取っ手手段そしてループによって画定され、こうして第１の長手方向位置でループの両側に１つの把持可能な取っ手が結果としてもたらされる。
【００１５】
本発明の別の実施形態において、ベルトは、第２の長手方向位置と第３の長手方向位置から離隔された長手方向位置においてベルト本体に取付けられている少なくとも２つのループを含む。取っ手手段は、前記少なくとも２つのループを通って摺動可能な形で配置されている。こうして、取っ手手段に対し外力を伝達できるさらに多くの位置が得られる。換言すると、トランスファベルトを把持する可能性がより多く得られることから、より汎用性の高いトランスファベルトが達成される。前記少なくとも２つのループの長手方向位置は、有利には、前記第２の長手方向位置と第３の長手方向位置の間に位置設定されてよい。換言すると、取っ手手段は、第２の長手方向位置でベルト本体に取付けられ、その後、取っ手手段が内部に摺動可能な形で配置され同様にベルト本体に取付けられている前記少なくとも２つのループを通過し、最終的に第３の長手方向位置でベルト本体に取付けられる。こうして、ベルト本体、取っ手手段そしてループの間には、取っ手手段の少なくとも３つの容易に把持可能な部分が形成され、結果として、２人の人間が同時にトランスファベルトを把持できるようにしそれによって介助を必要とする人の正確かつ安全な移動を達成できる少なくとも３つの取っ手が得られる。
【００１６】
換言すると、一実施形態に係るトランスファベルトは、さらに、前記第２の長手方向位置及び第３の長手方向位置から離隔されている前記長手方向の少なくとも１つの長手方向位置においてベルト本体に取付けられた少なくとも１つの追加のループを含み、前記少なくとも１つの追加の取っ手手段が前記少なくとも１つの追加のループを通って摺動可能な形で配置されている。
【００１７】
本発明のさらに別の実施形態において、ループは、ベルト本体の長手方向長さ全体にわたり均等に分布している。その結果、取っ手手段に外力が加わった場合、取っ手手段ベルトからの力は、トランスファベルトに均等に分配され、こうして、ベルト着用者のウエストの周りに均一の締付けが達成され、快適な移動作業が提供される。
【００１８】
本発明のさらに別の実施形態において、トランスファベルトはさらに、前記着用者に対面する内側表面に緩衝用手段を含む。こうして、着用者にとって快適であるトランスファベルトが得られる。
【００１９】
本発明のさらに別の実施形態においては、トランスファベルトは、前記着用者から見て外方を向くトランスファベルトの外側表面に取付けられている取っ手手段とループを含む。換言すると、人がトランスファベルトを着用する場合、取っ手手段及びループは、その人のウエストから見て外方を向くベルトの外側に配置される。こうして、取っ手手段を容易に把持でき、トランスファベルトを好適な形で使用することが可能となる。
【００２０】
本発明のさらに別の実施形態においては、トランスファベルトはさらに、介助付き移動を必要とする人のウエストの周りに前記トランスファベルトを介助可能な形で締結するための締結手段を含む。こうして、トランスファベルトは、その人のウエストの周りで容易に着脱可能である。
【００２１】
本発明のさらに別の実施形態においては、トランスファベルトはベルト本体に取付けられた少なくとも１つの固定取っ手を含む。こうして、トランスファベルトに対して外力を伝達できるより多くの位置が達成される。換言すると、トランスファベルトを把持するためのさらに多くの可能性が得られる。同様に、ベルトが一旦締付けられた場合に、トランスファベルトを操作する間、締付けられた取っ手手段を把持することが困難になることもある。したがって、トランスファベルトは、状況の如何に関わらず取っ手機能を提供する。
【００２２】
本発明のこれらの及び他の態様についてここで、本発明の現在好ましい実施形態を示す添付の図面を参照しながら、さらに詳述する。
【図面の簡単な説明】
【００２３】
【図１】本発明の一実施形態に係るトランスファベルトの図である。
【図２ａ】本発明の一実施形態に係るトランスファベルトの図である。
【図２ｂ】本発明の一実施形態に係るトランスファベルトの図である。
【図２ｃ】本発明の一実施形態に係るトランスファベルトの図である。
【発明を実施するための形態】
【００２４】
以下の説明においては、本発明の一実施形態が、多数のループ、多数の固定取っ手、ベルト本体上の２つの長手方向位置に取付けられた取っ手手段及びバックルタイプの締結手段を伴うトランスファベルトを参考にして記述されている。
【００２５】
図１は、ベルト本体２と締結手段とを有するトランスファベルト１を示す。締結手段には、締結用ストラップ４Ａ−Ｂを介してベルト本体に取付けられたバックル３が具備されている。これらの締結用ストラップは、ベルト本体に固定取っ手７Ｂ及び７Ｃが取付けられている長手方向位置８Ｂ及び８Ｃにおいて、ベルト本体に取付けられている。この実施形態において、ベルト本体２は、ベルト着用者（図示せず）のウエストを本質的に取り囲むのに充分な長さを有している。ベルト本体２の表面は、ナイロンを含む耐久性ある材料で被覆され、縁部はさらに先端処理（tipped）されている。
【００２６】
ベルト本体２の外側表面には、ベルト本体の横断方向すなわち長手方向に対して垂直に延在する一定数の固定取っ手７Ａ−Ｅが取付けられている。この状況下でトランスファベルトの外側表面は、ベルト着用者（図示せず）から見て外方を向く表面である。固定取っ手はトランスファベルトの外側表面から湾曲した形状を有し、ベルト本体及び取っ手本体により画定される把持可能な空間を提供している。
【００２７】
トランスファベルトにはさらに、長手方向に延在するストラップ５である取っ手手段が具備されている。ストラップは、その両方の端部において、それぞれ取付け点６Ｂ及び６Ｃにある長手方向位置８Ｂ及び８Ｃでベルト本体２の外側表面に取付けられている。ストラップはベルト本体の中心に沿ってベルト本体の長手方向に延在する。さらに、ストラップ５は、長手方向位置８Ａ−Ｈにある一定数のループ６Ａ、６Ｄを通って摺動可能な形で配置されている。同様に、ストラップはベルト本体に沿って緩んで延在し、こうしてトランスファベルトの長手方向に沿って把持可能な取っ手５Ａ−Ｃを形成する。他の実施形態においては、取っ手手段は、テープ、ライン、ロープ、コード又は紐である。
【００２８】
ループは、固定取っ手と同じ長手方向位置でベルト本体２の外側表面に取付けられる。ただし、固定取っ手をループの位置以外の長手方向位置に配置してよい、すなわちループと固定取っ手を互いに離隔させているということも理解される。図１において、全てのループは、ベルト本体の横段方向に延在し両端部でベルト本体に取付けられているループ本体を有する。ループ本体はこの実施形態においてはストラップである。他の実施形態において、ループ本体はテープ、ライン、ロープ、コード、バンド又は紐であってよい。さらに、ループ本体は、プラスチック材料、繊維材料、金属材料又は織布材料など、ループ機能を提供するのに好適な材料で製造されてよい。こうして、テープ、ライン、ロープ、コード、バンド又は紐は、プラスチック、繊維、金属又は織布材料で製造されてよい。
【００２９】
ベルト本体２の内側表面、すなわち着用者のウエストに対面する表面は、緩衝用手段を含む。緩衝用手段は、軟質の快適な材料、この実施形態においてはポリエステルベルベットを含む。他の実施形態においては、ベルト本体自体の内側表面がこのような材料を含む。
【００３０】
他の実施形態において、緩衝用手段及び／又はベルト本体２の内側表面は、着用者の体に対する高い摩擦係数を有する例えばＰＵ処理されたナイロンなどの材料を含んでいてよい。
【００３１】
図２ａでは、ベルト本体２、ループ６Ａ及び取っ手手段５Ａ’を含む本発明に係るトランスファベルトが示されている。ループ６Ａは、前記ベルト本体の長手方向の第１の長手方向位置８Ａで、ベルト本体に取付けられている。取っ手手段５Ａ’は、前記ループ６Ａを通って摺動可能な形で配置され、長手方向の第２の長手方向位置８Ｂで第１の取付け点６Ｂを介してベルト本体２に取付けられており、第２の長手方向位置は前記長手方向の前記第１の長手方向位置とは異なっているか又はそこから離隔されている。こうして、取っ手手段５ａ’の緩んだ端部すなわち取付けられていない端部に外力が加わった場合、取っ手手段はループ内を強制的に通り、こうして長手方向で、その着用者のウエストに対してトランスファベルト１を締付けるために第１及び第２の長手方向位置を合わせるようにすなわち互いに向かって強制する。換言すると、第１及び第２の長手方向位置が合わさるように強制された時点で、締付け長は減少し、それによりベルト本体を長手方向に合わせて締付けて、トランスファベルトの締付け効果を誘発する。換言すると、図２ａのトランスファベルトはベルト本体とそれに取付けられた締付け用装置を含む。締付け用装置は、ループ６Ａと、ループ内に摺動可能な形で配置されている取っ手手段５Ａ’を含む。ループは、第１の位置つまりループ位置８ａでベルト本体に取付けられ、一方取っ手手段５Ａ’は、第２の位置つまり取っ手手段位置８Ｂでベルト本体に取付けられる。取っ手手段位置は、ベルトの長手方向のループ位置から離隔されているか又は異なるものであり、そのため取っ手手段の取付けられていない端部に外力が加わった場合、取っ手手段位置とループ位置の間の取っ手手段の一部分は強制的にループ内を通るようになっている。こうして、ループ位置と取っ手手段位置は、前記人間のウエストに対してトランスファベルトを締付けるために長手方向に合わさるように又は互いに向かって強制される。ループ位置と取っ手手段位置の間の距離すなわち締付け長を変更することによって、異なる締付け効果を得ることができる、ということが理解される。
【００３２】
ベルト本体２の外側表面には、ベルト本体の横断方向すなわち長手方向に対して垂直に延在する一定数の固定取っ手７Ａ−Ｅが取付けられている。この状況下でトランスファベルトの外側表面は、ベルト着用者（図示せず）から見て外方を向く表面である。固定取っ手はトランスファベルトの外側表面から湾曲した形状を有し、ベルト本体及び取っ手を本体により画定された把持可能な空間を提供している。
【００３３】
図２ｂは、２つの締付け用装置を含む。トランスファベルトは、ベルト本体２、２つのループ６Ａ、６Ｄ及び２つの取っ手手段５Ａ’、５Ｂ’、５Ｃ’を含む。図２Ａに示されている第１の締付け用装置に加えて、図２ｂのトランスファベルトは、前記ベルト本体の長手方向の第１の長手方向位置８Ｄにおいてベルト本体に取付けられた追加のループ６Ｄをさらに含んでいる。追加の取っ手手段５Ｂ、５Ｃ’は、前記ループ６Ｄを通って摺動可能な形で配置され、長手方向の第２の長手方向位置８Ｄで第２の取付け点６Ｃを介してベルト本体２に取付けられており、第２の長手方向位置は前記長手方向の前記第１の長手方向位置とは異なっているか又はそこから離隔されている。こうして、追加の取っ手手段５Ｂ’５Ｃ’の緩んだ端部すなわち取付けられていない端部に外力が加わった場合、取っ手手段はループ内を強制的に通り、こうして長手方向で、その着用者のウエストに対してトランスファベルト１を締付けるために第１及び第２の長手方向位置を合わせるように又は互いに向かって強制する。ループ位置８Ｄと取っ手手段位置８Ｃの間の取っ手手段の部分５Ｂ’は、ループ６Ｄ内を強制的に通る。したがって、第１及び第２の長手方向位置が合わさるように強制された時点で、締付け長は減少し、それによりベルト本体を長手方向に合わせて締付けて、トランスファベルトの締付け効果を誘発する。
【００３４】
ベルト本体２の外側表面には、ベルト本体の横断方向すなわち長手方向に対して垂直に延在する一定数の固定取っ手７Ａ−Ｅが取付けられている。この状況下でトランスファベルトの外側表面は、ベルト着用者（図示せず）から見て外方を向く表面である。固定取っ手はトランスファベルトの外側表面から湾曲した形状を有し、ベルト本体及び取っ手を本体により画定された把持可能な空間を提供している。
【００３５】
図２Ｃは、締付け用装置を１つだけ有するトランスファベルトを示す。このトランスファベルトは、ベルト本体２、ループ６Ａ及び取っ手手段５Ａ’を含む。ループ６Ａは、前記ベルト本体の長手方向の第１の長手方向位置８Ａで、ベルト本体に取付けられている。取っ手手段５Ａ’は、前記ループ６Ａを通って摺動可能な形で配置され、長手方向の第２の長手方向位置８Ｂで第１の取付け部分６Ｂを介してベルト本体２に取付けられており、第２の長手方向位置は前記長手方向の前記第１の長手方向位置とは異なっているか又はそこから離隔されている。こうして、取っ手手段５ａ’の緩んだ端部すなわち取付けられていない端部に外力が加わった場合、取っ手手段はループ内を強制的に通り、こうして長手方向で、その着用者のウエストに対してトランスファベルト１を締付けるために第１及び第２の長手方向位置を合わせるように又は互いに向かって強制する。換言すると、第１及び第２の長手方向位置が合わさるように強制された時点で、締付け長は減少し、それによりベルト本体を長手方向に合わせて圧搾して、トランスファベルトの締付け効果を誘発する。
【００３６】
本発明の例示的実施形態が図示され記述されてきたが、当業者にとっては、本明細書に記載されている発明に数多くの変更及び修正又は改変を加えることができるということは明白である。したがって、本発明の以上の記述及び添付の図面はその非限定的な例としてみなされるべきものであること、そして本発明の範囲は添付の特許クレーム中で定義されていることを理解すべきである。
【図１】
0005934217.tif 000002
【図２ａ】
0005934217.tif 000003
【図２ｂ】
0005934217.tif 000004
【図２ｃ】
0005934217.tif 000005